(57)【要約】      （修正有）【課題】複数の観賞魚用水槽を設置しても嵩張ることなく、一定の水温を保つことができる観賞魚用水槽を提供する。【解決手段】積み重ね可能な観賞魚用水槽１であって、長辺側板１０および短辺側板２０は、異なる寸法の上段および下段が形成され、前記長辺側板１０の上段の内寸は、前記長辺側板１０の下段の外寸よりも大きく、前記短辺側板２０の上段の内寸は、前記短辺側板２０の下段の外寸よりも大きく、前記長辺側板１０の下段の外寸は、前記短辺側板２０の上段の内寸よりも大きく、前記長辺側板１０の上段の内寸は、前記短辺側板２０の下段の外寸よりも大きくする。前記底板３０の下面には、下方に突出する脚が、それぞれの短辺側に形成され、一方の短辺側の前記脚と他方の短辺側の前記脚との間の寸法は、前記短辺側板２０の上段の内寸よりも、僅かに小さくする。【選択図】図１
2018117546.tif 000002
【特許請求の範囲】
【請求項１】
平行な一対の長辺側板と、平行な一対の短辺側板と、底板とを備え、上方が開口した四角箱状で、積み重ね可能な観賞魚用水槽であって、
前記長辺側板および前記短辺側板は、それぞれ異なる寸法の上段および下段が形成され、
前記長辺側板の上段の内寸は、前記長辺側板の下段の外寸よりも大きく、
前記短辺側板の上段の内寸は、前記短辺側板の下段の外寸よりも大きく、
前記長辺側板の下段の外寸は、前記短辺側板の上段の内寸よりも大きく、
前記長辺側板の上段の内寸は、前記短辺側板の下段の外寸よりも大きく、
前記底板の下面には、下方に突出する脚が、それぞれの短辺近傍に形成され、一方の短辺側の前記脚の外面と、他方の短辺側の前記脚の外面との間の寸法は、前記短辺側板の上段の上縁内寸よりも、僅かに小さいことを特徴とする観賞魚用水槽。
【請求項２】
前記長辺側板および前記短辺側板の上縁内面には、それぞれ上縁段部が形成されている請求項１に記載の観賞魚用水槽。
【請求項３】
前記観賞魚用水槽は、発泡スチロールで成形されている請求項１または２に記載の観賞魚用水槽。
【請求項４】
前記長辺側板または前記短辺側板の上縁には、水が前記観賞魚用水槽の外に溢れ出すオーバーフロー溝が形成された請求項１〜３のいずれかに記載の観賞魚用水槽。
【請求項５】
前記オーバーフロー溝は、内側から外側に向かって溝幅が狭くなるテーパー状に形成されている請求項４に記載の観賞魚用水槽。
【発明の詳細な説明】
【技術分野】
【０００１】
本発明は、観賞魚用水槽に関する。
【背景技術】
【０００２】
従来、発泡スチロールで成形され、上方が開口した四角箱状に形成された観賞魚用水槽が知られている（特許文献１参照）。このような観賞魚用水槽内には水が溜められ、観賞魚の飼育や、水草の育成などで使用されているものが知られている。
【先行技術文献】
【特許文献】
【０００３】
【特許文献１】実用新案登録第３０４１０５７号公報
【発明の概要】
【発明が解決しようとする課題】
【０００４】
しかしながら、複数の観賞魚用水槽を横並びに設置するためには、広大な設置場所が必要となり、屋外に設置すると、水面が直射日光に晒されて水温が上昇することがあった。
【０００５】
このため、このような発泡スチロールの観賞魚用水槽を積み重ねて使用されていることが想定されるが、上側の観賞魚用水槽の位置が誤ってずれて、下側の観賞魚用水槽内にずり落ちることも考えられる。
【０００６】
そこで、本発明は、上述した課題に鑑みてなされたもので、その目的は、複数の観賞魚用水槽を安定して積み重ねることができる観賞魚用水槽を提供することにある。
【課題を解決するための手段】
【０００７】
［１］平行な一対の長辺側板と、平行な一対の短辺側板と、底板とを備え、上方が開口した四角箱状で、積み重ね可能な観賞魚用水槽であって、
前記長辺側板および前記短辺側板は、それぞれ異なる寸法の上段および下段が形成され、
前記長辺側板の上段の内寸は、前記長辺側板の下段の外寸よりも大きく、
前記短辺側板の上段の内寸は、前記短辺側板の下段の外寸よりも大きく、
前記長辺側板の下段の外寸は、前記短辺側板の上段の内寸よりも大きく、
前記長辺側板の上段の内寸は、前記短辺側板の下段の外寸よりも大きく、
前記底板の下面には、下方に突出する脚が、それぞれの短辺近傍に形成され、一方の短辺側の前記脚の外面と、他方の短辺側の前記脚の外面との間の寸法は、前記短辺側板の上段の上縁内寸よりも、僅かに小さいことを特徴とする観賞魚用水槽。
【０００８】
［２］前記長辺側板および前記短辺側板の上縁内面にはそれぞれ上縁段部が形成されている前項１に記載の観賞魚用水槽。
【０００９】
［３］前記観賞魚用水槽は、発泡スチロールで成形されている前項１または２に記載の観賞魚用水槽。
【００１０】
［４］前記長辺側板または前記短辺側板の上縁には、水が前記観賞魚用水槽の外に溢れ出すオーバーフロー溝が形成された前項１〜３のいずれかに記載の観賞魚用水槽。
【００１１】
［５］前記オーバーフロー溝は、内側から外側に向かって溝幅が狭くなるテーパー状に形成されている前項４に記載の観賞魚用水槽。
【発明の効果】
【００１２】
前項［１］の発明によると、複数の観賞魚用水槽を積み重ねる際に、次の２つの積み重ね形態をとることができる。
【００１３】
第一積み重ね形態は、上側の観賞魚用水槽を下側の観賞魚用水槽に対して、鉛直軸周りに９０度回転させて、長辺および短辺の向きが、上側の観賞魚用水槽と下側の観賞魚用水槽とで異なるように積み重ねる。
【００１４】
この第一積み重ね形態では、前記長辺側板の下段の外寸は、前記短辺側板の上段の内寸よりも大きいため、上側の観賞魚用水槽を下側の観賞魚用水槽の長辺側板の上端に載置できる。これにより、上側の観賞魚用水槽が下側の観賞魚用水槽内に貯められた水に触れることなく、積み重ねることができるとともに、上側の観賞魚用水槽に直射日光が遮られて、下側の観賞魚用水槽に日陰ができ、直射日光による水温上昇を防止できる。
【００１５】
また、本発明は、前記長辺側板の上段の内寸は、前記短辺側板の下段の外寸よりも大きいため、上側の観賞魚用水槽と下側の観賞魚用水槽との間に隙間ができる。この隙間から水替えや餌やり等をすることができる。
【００１６】
さらに、本発明は、前記底板の下面には、下方に突出する脚が、それぞれの短辺近傍に形成され、一方の短辺側の前記脚の外面と、他方の短辺側の前記脚の外面との間の寸法は、前記短辺側板の上段の上縁内寸よりも、僅かに小さいため、上側の観賞魚用水槽の脚が、下側の観賞魚用水槽の上縁内面に接することで、上側の観賞魚用水槽を位置決めすることができる。ひいては、上側の観賞魚用水槽がずり落ちることなく、安定して積み重ねることができる。さらに、観賞魚用水槽を屋外に設置する場合、脚を有することで、底面が直接、地面等の設置面に接するのを防止でき、底面が設置面の熱を受けることによる水温変化を防止できる。
【００１７】
次に第二積み重ね形態は、上側の観賞魚用水槽と下側の観賞魚用水槽の長辺および短辺の向きを合わせて積み重ねる。
【００１８】
この第二積み重ね形態では、前記長辺側板の上段の内寸は、前記長辺側板の下段の外寸よりも大きく、前記短辺側板の上段の内寸は、前記短辺側板の下段の外寸よりも大きいため、上側の観賞魚用水槽の下段を、下側の観賞魚用水槽の上段内に収納することができ、ひいては複数の観賞魚用水槽が嵩張るのを防止できる。
【００１９】
前項［２］の発明によると、前記長辺側板および前記短辺側板の上縁内面には、それぞれ上縁段部が形成されているため、この上縁段部に脚を納めることで、より位置決めが安定する。
【００２０】
前項［３］の発明によると、前記観賞魚用水槽は発泡スチロールで形成されているため、主として屋外に設置されても、断熱効果が高く、水温を安定させることができる。
【００２１】
前項［４］の発明によると、前記長辺側板または前記短辺側板の上縁には、水が観賞魚用水槽の外に溢れ出すオーバーフロー溝が形成されるため、観賞魚用水槽内に新たに水を注入することで、従来の水がオーバーフロー溝を通って観賞魚用水槽外に排出され、水の入れ替え作業時間が大幅に短縮される。また、観賞魚用水槽を屋外に設置する場合、集中豪雨等の急激な雨水による水位上昇時により、急激な水質変化を防止し、水質を安定させることができる。
【００２２】
前項［５］の発明によると、前記オーバーフロー溝は、内側から外側に向かって溝幅が狭くなるテーパー状に形成されているため、例えばスポンジをオーバーフロー溝に配置する場合は、スポンジに水圧がかかってスポンジが観賞魚用水槽外に押し出されても、幅狭に形成された外側部分で堰き止められ、スポンジが観賞魚用水槽外に脱落するのを防止できる。また、稚魚や幼魚が、幅狭に形成された外側部分で堰き止められ、水槽外に脱落するのを防止できる。
【図面の簡単な説明】
【００２３】
【図１】本発明の一実施形態に係る観賞魚用水槽の斜視図である。
【図２】同観賞魚用水槽の平面図である。
【図３】同観賞魚用水槽の底面図である。
【図４】同観賞魚用水槽のＡ−Ａ断面図である。
【図５】同観賞魚用水槽のＢ−Ｂ断面図である。
【図６】同観賞魚用水槽を積み重ねたときの説明図である。
【図７】同観賞魚用水槽を積み重ねたときの説明図である。
【図８】同観賞魚用水槽を積み重ねたときの斜視図である。
【図９】他の実施形態に係る観賞魚用水槽を積み重ねたときの斜視図である。
【発明を実施するための形態】
【００２４】
以下、図面を参照して、本発明の一実施形態について説明する。
【００２５】
図１〜図５に示すように、観賞魚用水槽１は、発泡スチロールで成形されている。この観賞魚用水槽１は、平行な一対の長辺側板１０と、平行な一対の短辺側板２０と、底板３０とを備えており、上方が開口した四角形状に形成されている。
【００２６】
図１〜図５に示すように、長辺側板１０は、観賞魚用水槽１の前側板と後側板とを構成し、短辺側板２０は、観賞魚用水槽１の左側板と右側壁とを構成している。
【００２７】
長辺側板１０および短辺側板２０は、上下方向中央の段部１６，２６を境に、それぞれ異なる寸法の上段および下段が形成されている。
【００２８】
長辺側板１０の上段の内寸Ｗ５は、長辺側板１０の下段の外寸Ｗ２よりも大きく形成されている。短辺側板２０の上段の内寸Ｗ７は、短辺側板２０の下段の外寸Ｗ４よりも大きく形成されている。長辺側板１０の下段の外寸Ｗ２は、短辺側板２０の上段の内寸Ｗ７よりも大きく形成されている。長辺側板１０の上段の内寸Ｗ５は、短辺側板２０の下段の外寸Ｗ４よりも大きく形成されている。
【００２９】
長辺側板１０および短辺側板２０には、上縁１７，２７の内面に、それぞれ上縁段部１１，２１が形成されている。この上縁段部１１，２１は、上縁１７，２７内面を少しえぐって形成され、長辺側板１０から短辺側板２０の上縁全周に至って形成されている。
【００３０】
図１〜図５に示すように、長辺側板１０（後側板）の上縁には、左右方向中央に水が観賞魚用水槽１の外に溢れ出すオーバーフロー溝１２が形成されている。このオーバーフロー溝１２は、観賞魚用水槽１の内側から外側に向かって溝幅が狭くなるテーパー状に形成されている。このオーバーフロー溝１２には、通水部材が嵌め込まれ、水は通水部材を通過して観賞魚用水槽１の外側に排出され、観賞魚やゴミ等は堰き止められるようにできる。通水部材は、特に限定されるものではないが、例えばスポンジを採用できる。
【００３１】
また、長辺側板１０（後側板）の上縁には、オーバーフロー溝１２を挟むようにして、左右方向両端のそれぞれに、エアーチューブ溝１３が形成されている。このエアーチューブ溝１３は、エアーチューブを挟める程度の溝幅に形成されており、このエアーチューブ溝１３にエアーチューブを挟んで固定することができる。このエアーチューブ溝１３の底は、オーバーフロー溝１２の底よりも高く（上方）に形成されている。
【００３２】
図３に示すように、底板３０の下面には、下方に突出する脚３１が形成されている。この脚３１は断面凸状に形成されている。また、脚３１の中間部分は、長辺側板１０（前側板および後側板）の長手方向に沿うように形成され、脚３１の両先端付近は約９０度曲げられて、短辺側板２０に沿うように形成されている。このようにして、脚３１は、平面視コ字状に形成されている。脚３１は、平面視コ字状に曲げられた両先端３１ａが対向するように配置されている。各脚３１間には隙間３２が形成されている。
【００３３】
このようにして、底板３０の下面には、下方に突出する脚３１が、それぞれの短辺近傍に形成され、一方の短辺側の脚３１の外面と他方の短辺側の脚３１の外面との間の寸法Ｗ９は、短辺側板２０の上段の上縁内寸Ｗ７’（一方の短辺側板２０上段の上縁内面から他方の短辺側板２０上段の上縁内面までの寸法）よりも、僅かに小さく設置されている。
【００３４】
次に本実施形態の積み重ね形態について説明すると、複数の観賞魚用水槽１を積み重ねる際に、２つの積み重ね形態をとることができる。
【００３５】
第一積み重ね形態は、図６に示すように、上側の観賞魚用水槽１を下側の観賞魚用水槽１に対して鉛直軸周りに９０度回転させて、長辺および短辺の向きが、上側の観賞魚用水槽１と下側の観賞魚用水槽１とで異なるように積み重ねる。
【００３６】
次に第二積み重ね形態は、図７に示すように、上側の観賞魚用水槽１と下側の観賞魚用水槽１の長辺および短辺の向きを合わせて積み重ねる。
【００３７】
本実施形態は以下の効果を奏することができる。
【００３８】
第一積み重ね形態では、長辺側板１０の下段の外寸Ｗ２は、短辺側板２０の上段の内寸Ｗ７よりも大きいため、上側の観賞魚用水槽１を下側の観賞魚用水槽１の長辺側板１０の上端に載置できる。これにより、上側の観賞魚用水槽１が下側の観賞魚用水槽１内に貯められた水に触れることなく、積み重ねることができるとともに、上側の観賞魚用水槽１に直射日光が遮られて、下側の観賞魚用水槽１に日陰ができ、直射日光による水温上昇を防止できる。
【００３９】
また、本実施形態は、長辺側板１０の上段の内寸Ｗ５は、短辺側板２０の下段の外寸Ｗ４よりも大きいため、上側の観賞魚用水槽１と下側の観賞魚用水槽１との間に隙間ができる。この隙間から水替えや餌やり等をすることができる。
【００４０】
さらに、本実施形態では、底板３０の下面には、下方に突出する脚３１が、それぞれの短辺側に形成され、一方の短辺側の脚３１の外面と他方の短辺側の脚３１の外面との間の寸法Ｗ９は、短辺側板２０の上段の上縁内寸Ｗ７’よりも、僅かに小さいため、上側の観賞魚用水槽１の脚３１が、下側の観賞魚用水槽１の上縁内面に接することで、上側の観賞魚用水槽１が位置決めすることができる。ひいては、上側の観賞魚用水槽１がずり落ちることなく、安定して積み重ねることができる。さらに、観賞魚用水槽１を屋外に設置する場合、脚３１を有することで、底面が直接、地面等の設置面に接するのを防止でき、底面が設置面の熱を受けることによる水温変化を防止できる。
【００４１】
第二積み重ね形態では、長辺側板１０の上段の内寸Ｗ５は、長辺側板１０の下段の外寸Ｗ２よりも大きく、短辺側板２０の上段の内寸Ｗ７は、短辺側板２０の下段の外寸Ｗ４よりも大きいため、上側の観賞魚用水槽１の下段を、下側の観賞魚用水槽１の上段内に収納することができ、ひいては複数の観賞魚用水槽１が嵩張るのを防止できる。
【００４２】
長辺側板１０および短辺側板２０の上縁内面には上縁段部１１，２１が形成されているため、この上縁段部１１，２１に脚３１を納めることで、より位置決めが安定する。
【００４３】
観賞魚用水槽１は、発泡スチロールで形成されているため、主として屋外に設置されても、断熱効果が高く、水温を安定させることができる。
【００４４】
長辺側板１０（後側板）上縁１７には、水が観賞魚用水槽１外に溢れ出すオーバーフロー溝１２が形成されているため、観賞魚用水槽１内に新たに水を注入することで、従来の水がオーバーフロー溝１２を通って、観賞魚用水槽１外に排出され、水の入れ替え作業時間が大幅に短縮される。また、観賞魚用水槽を屋外に設置する場合、集中豪雨等の急激な雨水による水位上昇時により、急激な水質変化を防止し、水質を安定させることができる。
【００４５】
長辺側板１０（後側板）のオーバーフロー溝１２は、内側から外側に向かって溝幅が狭くなるテーパー状に形成されているため、例えばスポンジをオーバーフロー溝１２に配置する場合は、スポンジに水圧がかかってスポンジが観賞魚用水槽１外に押し出されても、幅狭に形成された外側部分で堰き止められ、スポンジが観賞魚用水槽１外に脱落するのを防止できる。また、稚魚や幼魚が、幅狭に形成された外側部分で堰き止められ、水槽外に脱落するのを防止できる。
【００４６】
以上、本発明の一実施形態に基づいて説明してきたが、本発明は上記実施形態に限定されるものではなく、その発明の範囲で適宜変更であり、以下のように構成しても良い。
【００４７】
（１）図９に示すように、本実施形態の観賞魚用水槽１は、横長観賞魚用水槽５と併用して使用しても良い。横長観賞魚用水槽５は、本実施形態の観賞魚用水槽１の長辺側板５１が短辺側板５２対して、左右幅が約２倍長くなるように形成されている。
【００４８】
このような横長観賞魚用水槽５と、観賞魚用水槽１（横長ではない観賞魚用水槽１）に関する積み重ね方を説明すると、図９に示すように、下側に横長観賞魚用水槽５、上側に観賞魚用水槽１を積み重ねようにする。すなわち、上側に観賞魚用水槽１を下側の横長観賞魚用水槽５に対して鉛直軸周りに９０度回転させ、横長観賞魚用水槽５の中間に積み重ねる。
【００４９】
このとき上側の観賞魚用水槽１の脚３１の外面が、下側の横長観賞魚用水槽５の上縁内面に接するように積み重ねられる。
【００５０】
このように積み重ねると、上側の観賞魚用水槽１が下側の横長観賞魚用水槽５内に貯められた水に触れることなく、積み重ねることができる。また、上側の観賞魚用水槽１によって直射日光が遮られて、下側の横長観賞魚用水槽５に日陰ができ、直射日光による水温上昇を防止できる。
【００５１】
（２）上記実施形態では、長辺側板１０に、オーバーフロー溝１２とエアーチューブ溝１３とを形成したが、例えば、これらは短辺側板２０に形成されていても良く、またそもそもオーバーフロー溝１２とエアーチューブ溝１３とを形成されていなくても良い。
【００５２】
（３）上記実施形態では、脚３１の中間部分は、長辺側板１０（前側板および後側板）の長手方向に沿うように形成され、脚３１の両先端付近は約９０度曲げられて、短辺側板２０に沿うようにして、平面視コ字状に形成されているとしたが、例えば、平面視コ字状のように連続的な凸状突起ではなく、途中で途切れる凸状突起としても良い。
【００５３】
（４）上記実施形態における観賞魚用水槽１は、開口を覆う日除けカバーを別途備えても良い。これにより、上側の観賞魚用水槽１が直射日光に晒されるのを防止でき、ひいては水温上昇を防止できる。
【００５４】
（５）上記実施形態における観賞魚用水槽１は、ダークグレーに着色されていても良い。これにより、観賞魚用水槽１の色とメダカの色とを異ならせることで、メダカの生体をくっきり見えやすくできる。
【符号の説明】
【００５５】
１  観賞魚用水槽
１０  長辺側板
１１  上縁段部
１２  オーバーフロー溝
１３  エアーチューブ溝
１６  段部
１７  上縁
２０  短辺側板
２１  上縁段部
２６  段部
２７  上縁
３０  底板
３１  脚
３１ａ  両端
３２  隙間
５  横長観賞魚用水槽
５１  長辺側板
５２  短辺側板
５３  段部
【図１】
2018117546.tif 000003
【図２】
2018117546.tif 000004
【図３】
2018117546.tif 000005
【図４】
2018117546.tif 000006
【図５】
2018117546.tif 000007
【図６】
2018117546.tif 000008
【図７】
2018117546.tif 000009
【図８】
2018117546.tif 000010
【図９】
2018117546.tif 000011